(57)【要約】      （修正有）【課題】中敷体の装着が簡単にでき、保管や輸送時の振動や衝撃にもずれたりすることがなく美麗な包装外観も保持することができる果物用容器とその中敷体の構造を提供する。【解決手段】底面２１部と側壁部２５及び前記側壁部２５上端の外周鍔部２８と有する皿状の容器本体２０の内面２０Ａ側に、該容器本体内面２０Ａに合着する中敷体底面部３１と中敷体側壁部３５及び前記中敷体側壁部３５上端の中敷体外周鍔部３８とを有する合成樹脂発泡シートの成形体からなる皿状中敷体３０である。皿状容器本体２０の底面部２１及び側壁部２５にリブ状の凹部２２，２６が形成されたものに対して、板状の中敷体３０を重ね合せると、該凹部２２，２６と皿状中敷体３０外面との間で空気層を形成することができる。【選択図】図１
0003143843.tif 000002
【実用新案登録請求の範囲】
【請求項１】
底面部と側壁部及び前記側壁部上端の外周鍔部と有する皿状の容器本体内面側に、該容器本体内面に合着する中敷体底面部と中敷体側壁部及び前記中敷体側壁部上端の中敷体外周鍔部とを有する合成樹脂発泡シートの成形体からなる皿状中敷体を重設したことを特徴とする果物用容器。
【請求項２】
前記皿状容器本体の底面部及び側壁部にリブ状の凹部が形成されており、該凹部と前記皿状中敷体外面との間で空気層が形成される請求項１に記載の果物用容器。
【請求項３】
皿状の容器本体内面側に重設される中敷体であって、該容器本体内面に合着する中敷体底面部と中敷体側壁部及び前記中敷体側壁部上端の中敷体外周鍔部とが合成樹脂発泡シートの成形体によって一体に形成されていることを特徴とする果物用容器のための中敷体。
【考案の詳細な説明】
【技術分野】
【０００１】
この考案は果物用容器及びその中敷体の改良に関する。
【背景技術】
【０００２】
イチゴやイチジク、ビワ、サクランボなどの比較的小型の果物は、小分け用のプラスチック容器に収容して流通され、保管、販売される。とりわけ傷みやすい果物については、皿状の容器本体内に合成樹脂の発泡シートの中敷を敷いて流通時の衝撃等から保護することが行われている。
【０００３】
中敷は一般には単に発泡シートを矩形に切断して容器の底面に載置するだけのものもあるが、添付の図４に示すように、発泡シート６１のコーナー部に切込みないし切欠部６２を設けて使用時に側壁部６５とする中敷体６０も提案されている。この中敷体６０は図５のように、容器本体２０内に切欠部６２から側壁部６５を折り曲げて配置される。符号６６は側壁部６５先端縁部のデザインカット部である。
【０００４】
この中敷体６０にあっては、容器本体２０の内面に側壁部６５を形成しつつ配置されるので、底面だけに敷かれるシート状物に比して豪華さがあり、中身の果物の商品価値を高めることができる。しかしながら、一方において、コーナー部の切欠部６２から側壁部６５を折り曲げ折り重ねて容器本体に装着する手間が必要であり、また、発泡シート６１自体の弾性があり、この折り曲げ、折り重ねをうまくしないと包装外観を損ねるという煩雑さがあった。また、保管時や輸送時の振動などでずれたりすることもあった。
【考案の開示】
【考案が解決しようとする課題】
【０００５】
そこで、この考案は、中敷体の装着が簡単にでき、保管や輸送時の振動や衝撃にもずれたりすることがなく美麗な包装外観も保持することができる果物用容器とその中敷体の構造を提供することを目的とする。
【課題を解決するための手段】
【０００６】
すなわち、請求項１の考案は、底面部と側壁部及び前記側壁部上端の外周鍔部と有する皿状の容器本体内面側に、該容器本体内面に合着する中敷体底面部と中敷体側壁部及び前記中敷体側壁部上端の中敷体外周鍔部とを有する合成樹脂発泡シートの成形体からなる皿状中敷体を重設したことを特徴とする果物用容器に係る。
【０００７】
また、請求項２の考案は、前記皿状容器本体の底面部及び側壁部にリブ状の凹部が形成されており、該凹部と前記皿状中敷体外面との間で空気層が形成される請求項１に記載の果物用容器に係る。
【０００８】
さらに、請求項２の考案は、皿状の容器本体内面側に重設される中敷体であって、該容器本体内面に合着する中敷体底面部と中敷体側壁部及び前記中敷体側壁部上端の中敷体外周鍔部とが合成樹脂発泡シートの成形体によって一体に形成されていることを特徴とする果物用容器のための中敷体に係る。
【考案の効果】
【０００９】
請求項１の考案に係る果物用容器によれば、底面部と側壁部及び前記側壁部上端の外周鍔部と有する皿状の容器本体内面側に、該容器本体内面に合着する中敷体底面部と中敷体側壁部及び前記中敷体側壁部上端の中敷体外周鍔部とを有する合成樹脂発泡シートの成形体からなる皿状中敷体を重設したことを特徴とするものであるから、容器本体への中敷体の装着が簡単かつ容易に効率よくしかも確実にできるので、収容される果物の保護を確実に行うことができるのみならず、保管や輸送時の振動や衝撃にもずれたりすることがなく美麗な包装外観を保持することができる。
【００１０】
また、請求項２の考案に係る果物用容器によれば、前記皿状容器本体の底面部及び側壁部にリブ状の凹部が形成されており、該凹部と前記皿状中敷体外面との間で空気層が形成されるので、保温・保冷性に優れる。上に述べた振動や衝撃に対する効果もより向上する。
【００１１】
さらに、請求項３の考案は、皿状の容器本体内面側に重設される中敷体であって、該容器本体内面に合着する中敷体底面部と中敷体側壁部及び前記中敷体側壁部上端の中敷体外周鍔部とが合成樹脂発泡シートの成形体によって一体に形成されているので、中敷体を簡単にかつ効率よく製作することができる。
【考案を実施するための最良の形態】
【００１２】
以下添付の図面に従ってこの考案を詳細に説明する。
図１はこの考案の一実施例を表す果物用容器の合着前の斜視図、図２は図１の容器の合着状態を表す断面図、図３は図２の要部の拡大断面図である。
【００１３】
図１に示したように、この考案の果物用容器１０は、底面２１部と側壁部２５及び前記側壁部２５上端の外周鍔部２８と有する皿状の容器本体２０の内面２０Ａ側に、該容器本体内面２０Ａに合着する中敷体底面部３１と中敷体側壁部３５及び前記中敷体側壁部３５上端の中敷体外周鍔部３８とを有する合成樹脂発泡シートの成形体からなる皿状中敷体３０を重設したことを特徴とする。
【００１４】
この果物用容器１０は、例えばイチゴのための容器であって、実施例の皿状容器本体２０はＰＥＴからなりそのサイズは、縦１９４ｍｍ、横１３０ｍｍ、高さ２７ｍｍである。サイズは果物の種類に応じ適宜とすることができ、また、容器本体２０を構成する樹脂材料は、このほかにＰＰ、ＰＳ等が一般的に使用される。皿状容器本体２０の底面部２１及び側壁部２５にはリブ状の凹部２２、２６が補強のために適宜形成されている。
【００１５】
中敷体３０は、前記皿状容器本体２０の内面２０Ａ側に重設されるものであって、該容器本体内面２０Ａに合着する中敷体底面部３１と中敷体側壁部３５及び前記中敷体側壁部上端の中敷体外周鍔部３８とが合成樹脂発泡シートの成形体によって一体に形成されている。実施例の中敷体３０はＰＰ又はＰＥの発泡体シートを真空成形によって皿状に成形したものである。実施例の中敷体３０の厚みは約１ｍｍである。
【００１６】
図２及び図３に図示し請求項２の考案として規定したように、皿状容器本体２０の底面部２１及び側壁部２５にリブ状の凹部２２，２６が形成されたものに対して、板状の中敷体３０を重ね合せると、該凹部２２，２６と皿状中敷体３０外面との間で空気層４１，４２が形成され、しかも図示のように容器本体外周鍔部２８と中敷体外周鍔部３８とが合着されているので密封性が高く、保温・保冷性に優れる。振動や衝撃に対する効果もより向上する。
【００１７】
このように、この考案によれば、中敷体の装着が簡単にでき、保管や輸送時の振動や衝撃にもずれたりすることがなく、美麗な包装外観も保持することができる果物用容器とその中敷体の構造を提供することができる。
【図面の簡単な説明】
【００１８】
【図１】この考案の一実施例を表す果物用容器の合着前の斜視図である。
【図２】図１の容器の合着状態を表す断面図である。
【図３】図２の要部の拡大断面図である。
【図４】従来中敷として使用されている発泡シートの平面図である。
【図５】図４の発泡シートを容器本体に装着した状態を表す斜視図である。
【符号の説明】
【００１９】
１０  果物用容器
２０  皿状容器本体
２１  底面部
２２  凹部
２５  側壁部
２６  凹部
２８  外周鍔部
３０  中敷体
３１  中敷体底面部
３５  中敷体側壁部
３８  中敷体外周鍔部
４１，４２  空気層
【図１】
0003143843.tif 000003
【図２】
0003143843.tif 000004
【図３】
0003143843.tif 000005
【図４】
0003143843.tif 000006
【図５】
0003143843.tif 000007